(57)【特許請求の範囲】
【請求項１】
製作品へ固定具を打ち込むための往復運動する打ち込みブレードを有する固定具打ち込み工具において、少なくとも一つの順に揃えられた固定具のストリップを格納し且つ前記打ち込みブレードへ送給するためのマガジンが、送給終端部と、打ち込み終端部と、前記送給終端部と前記打ち込み終端部との間で接触して配置される案内部分とを形成するハウジングを具備し、
前記案内部分は少なくとも二つの案内構造を有し、第一案内構造は、第一の位置において前記固定具のストリップを係合するように形成され、第二案内構造は、第二の位置において前記固定具のストリップを係合するように形成され、
前記第一案内構造は前記送給端部から延在し、前記第二案内構造は前記打ち込み端部から延在し、
前記マガジンは、前記第一案内構造が終了し前記第二案内構造が始まる移行領域を備える、工具。
【請求項２】
各前記固定具のストリップは、少なくとも一つ、好ましくは２つの対向する放射状に突出する部分により形成される下端部と窓チャネルとを有する複数のスリーブを含み、
前記第一案内構造は、前記下側端部において前記固定具のストリップを係合し、前記第二案内構造は、前記窓チャネルにおいて前記固定具のストリップを係合する、請求項１に記載の工具。
【請求項３】
前記固定具のストリップは、前記マガジンの第一の領域においては前記第一案内構造のみにより支持され、前記マガジンの第二の領域においては前記第二案内構造のみにより支持される、請求項１に記載の工具。
【請求項４】
前記マガジンは、前記移行領域を可視的に表示する少なくとも一つの側壁を備える、請求項１に記載の工具。
【請求項５】
前記少なくとも一つの側壁は、前記移行領域を指し示すための”Ｓ”形状の曲線を形成する、請求項４に記載の工具。
【請求項６】
前記第一案内構造は、前記マガジンの長さの約２/３に延在する、請求項１に記載の工具。
【請求項７】
前記第一案内構造は、少なくともひとつのレールで前記スリーブの底部を係合する、請求項２に記載の工具。
【請求項８】
前記第二案内構造は一対の対向するレールであり、前記一対の対向するレールに対応する前記固定具のストリップの一組の窓に各前記一対の対向するレールが係合する、請求項１に記載の工具。
【発明の詳細な説明】
【０００１】
【発明の属する技術分野】
本発明は、概して、固定具が取り付けられたストリップを格納し、且つ、往復運動する打ち込みブレードが製作品内へ個々の固定具を打ち込む鼻部材部に固定具が取り付けられたストリップを配送するためのマガジンシステムを有する固定具打ち込み工具に関しており、特に、このような工具のマガジンレールシステムに関する。
【０００２】
【従来の技術】
気体式、燃焼式または火薬式の固定具打ち込み工具は、尖っている終端部および頭部を備える細長いシャンクを有する形式の固定具を打ち込むために広く利用されている。一般的には、このような固定工具は製作品を通し基材に強制的に打ち込まれるようにデザインされている。このような固定具には、木材へ強制的に打ち込まれるようにデザインされている釘と、コンクリートまたは石工へ強制的に打ち込まれるようにデザインされているドライブピンとが含まれる。一般的にこのようなドライブピンにおいては、シャンクが頭部に隣接する場所でシャンクは外側に広がる部分を有する。このようなドライブピンは、石膏ボード壁または他の金属製作品のコンクリート基材への取り付けに使用される金属チャネルの取り付けの使用に適している。
【０００３】
多くの固定具打ち込み工具では、マガジンを通るストリップ内にこのような固定具が送給されることが必要であり、ストリップ内で固定具は順に揃えられ、マガジンは順に揃えられた固定具のストリップを送給する機構を有する。一般的に、このような固定具はキャリヤーを介して順に揃えられ、該キャリヤーはポリプロピレンのような高分子材料から型成形され、またそれぞれの固定具に対する個々のスリーブ、ブッシュまたはホルダーを有し、また、連続スリーブ、ブッシュまたはホルダーの間に脆いブリッジを有する。このようなキャリヤーを介して順に揃えらるこのような固定具の実施例は開示されている。（特許文献１、２、３、４，５参照）
【０００４】
エランスト（Ｅｒｎｓｔ）他の米国特許第５，０６９，３４０号は、固定具打ち込み工具に使用する固定具のストリップを開示している。この固定具のストリップは、各固定具が全体的に円筒状のスリーブ内で保持されるように形成され型成形されたキャリヤーを特徴としている。各スリーブは対向する窓部を有しており、該窓部は固定具案内装置の対向するリブに対応して受容するように形成されている。各窓部は、案内チャネルを形成し放射状に延在する上側部分および下側部分により境をなす。脆いブリッジは、隣接するキャリヤーとそれらに対応する固定具とを互いに固定する。
【０００５】
時として、ストリップがマガジン内で調整不良を生じるような一つの操作状態を、従来技術の固定具ストリップにおいて経験している。つまり、工具は製作品に対して９０度に方向付けられているが、固定具が製作品に関して９０度以外の角度に方向付けられる。別の言い方をすると、固定具が、駆動される前の打ち込みブレードに関して非平行に方向付けられているということである。もし、調整不良のストリップが打ち込みブレードによる衝接のために鼻部材へ調整不良の固定具を配送すると、固定具は不適当に打ち込まれ、および/または、硬質な基材内で曲げられ、湾曲または”釣り針”形態を引き起こし、製作品への追加の固定具の打ち込みが必要となる。この作業が時間および材料を浪費し、場合によっては、製作品を損なう可能性があることは明らかである。
【０００６】
時として、鼻部材終端部と反対側の工具の後ろ側終端部でストリップがマガジンに引っ掛かり動けなくなるような別の操作状態が、固定具ストリップを送給するマガジンを使用する固定具打ち込み工具においてある。ストリップがポリプロピレンのような高分子材料または同等な材料で型成形され、本質的にストリップの寸法を厳密な公差内に調整または維持することが困難であることが、この動けない状態の理由の一つになる。特に、固定具ストリップが、上述された対向するストリップ窓部に係合するレールのみにより案内されるときにおいては、作業者が効果的にストリップを挿入し最適な整列を得ることは困難である。このように、マガジン積み込み作業は不当な時間を費やし、作業者に潜在的な挫折感を引き起こす。
【０００７】
この問題を解決する一つの試みとしては、マガジンが固定具を保持するストリップスリーブの底面のみに係合するレールを構成することである。この代替物は容易な積み込みを促進するが、打ち込みブレードにより固定具が打ち込まれる直前の固定具の適当な整列を維持しない。このように、この配置においても調整不良または”釣り針”形態の固定具が結果としてもたらされる可能がある。
【０００８】
固定具を保持するストリップスリーブの下側終端部に係合するように形成されたマガジンのもう一つの欠点は、工具を反転させた位置で作業するとき、例えば、作業者が固定具を打ち込むために頭上で工具を操作するときにおいて、固定具はマガジン内で垂直方向の調整不良を生じ、打ち込みブレードによる適当な係合が不可能になる。
【０００９】
【特許文献１】
米国特許第３，９２７，４５９号
【特許文献２】
米国特許第３，９５４，１７６号
【特許文献３】
米国特許第４，１０６，６１８号
【特許文献４】
米国特許第４，７１８，５５１号
【特許文献５】
米国特許第４，９３２，８２１号
【特許文献６】
米国特許第５，０６９，３４０号
【００１０】
【発明が解決しようとする課題】
従って本発明の第一の目的は、固定具ストリップの積み込みを容易にする改良された固定具打ち込み工具マガジンを提供することである。
【００１１】
本発明のもう一つの目的は、打ち込みブレードに関しての固定具の整列を向上する改良された固定具打ち込み工具マガジンを提供することである。
【００１２】
本発明の更なるもう一つの目的は、工具が反転状態であることを含む多様な位置で使用されるときにおいて、固定具ストリップの整列を容易にする改良された固定具打ち込み工具を提供することである。
【００１３】
【課題を解決するための手段】
順に揃えられた固定具ストリップのための２つの部分を有する案内システムを特徴とする本マガジンレールシステムにより、上記目的は満足しまたそれを上回る。マガジンの第一部分は固定具ストリップの積み込みを容易にするように形成され、スリーブの下側終端部でストリップと係合する。マガジンの特定部分である案内システムの第二部分は、打ち込みブレードと係合する前の適当な整列を容易にするために、各スリーブの窓部分で固定具ストリップに係合する。
【００１４】
さらに特別に、本発明は、製作品内へ固定具を打ち込むための往復運動する打ち込みブレードを有する固定具打ち込み工具において、固定具の少なくとも一つの順に揃えられたストリップを収容し且つ打ち込みブレードへ送給するように形成されたマガジンを提供し、このマガジンは、送給終端部と、打ち込み終端部と、これらの二つの終端部の間で接触して配置される案内部分とを形成するハウジング含む。案内部分は少なくとも二つの案内構造を有し、第一案内構造は、第一の位置で固定具ストリップを係合するように形成され、第二案内構造は、第二の位置で固定具ストリップを係合するように形成される。
【００１５】
各固定具ストリップは、下端部と、少なくとも一つ、好ましくは２つの対向する放射状に突出する部分により形成される窓チャネルとを有する複数のスリーブを含み、第一案内構造は下端部でストリップを係合するように形成され、第二案内構造は、窓チャンネルでストリップを係合するように形成される。好ましくは、固定具ストリップは、マガジンの第一領域においては第一案内構造のみにより支持され、マガジンの第二領域においては第二案内構造のみにより支持される。
【００１６】
もう一つの実施例においては、固定具打ち込み工具は、第一案内構造および第二案内構造を有するハウジングを含むマガジンを有し、この第一案内構造は第一の位置に固定具ストリップを案内するように形成され、この第二案内構造は第二の位置に固定具ストリップを案内するように形成され、第一の位置は第二の位置と異なる。好適な実施例においては、ハウジングは、固定具ストリップが第一案内構造のみにより始めに案内され、次ぎに第二案内構造のみにより案内されるように形成される。
【００１７】
【発明の実施の形態】
図１を参照すると、固定具打ち込み工具１０が全体的に指し示されており、この固定具打ち込み工具には燃焼式、気体式または火薬式のものがあるが、好適な実施例においては燃焼式の工具が図示されている。鼻部材１２、駆動機構１４および案内装置１６を含む工具１０の構成品が図示されている。固定具打ち込み工具１０の他の構成品は本発明においては重要ではなく、このような工具の構成品は公知である。リンカンシャー州（Ｌｉｎｃｏｌｎｓｈｉｒｅ）、イリノイ州（Ｉｌｌｉｎｏｉｓ）のＩＴＷ-Ｐａｓｌｏｄｅ（Ｉｌｌｉｎｏｉｓ  Ｔｏｏｌ  Ｗｏｒｋｓ社のユニット）からＩＭＰＵＬＳＥ商標で入手可能な燃焼式固定具打ち込み工具が、これらの構成品を容易に組み込み可能な好適な工具である。このような燃焼式工具は、米国特許第４，４０３，７２２号、米国特許第４，４８３，２８０号、米国特許第４，４８３，４７４号、米国特許第４，５２２，１６２号、米国特許第５，２６３，４３９号、再発行米国特許第３２，４５２号にて開示されている工具と類似している。
【００１８】
鼻部材１２は、従来の固定具打ち込み工具１０の鼻部材と類似しており、全体的に円筒状の穴部２０を形成する上側管状部分１８と、全体的に管状の穴部２４を有する下側管状部分２２と、穴部２０と穴部２４との間に延在する壁２６とを備えるように、好ましくは、鋼鋳物から機械加工される。好適な実施例においては、管状の穴部は軸方向に整列される。全体的に半円形状の溝２８は、穴部２０および穴部２４に整列され、往復運動する打ち込みブレード３０の通路を形成し、該打ち込みブレードは上側終端部３２でピストン３４に固定される。打ち込みブレード３０およびピストン３４は駆動機構１４を構成する。ピストン３４および打ち込みブレード３０は、公知のような工具のシリンダー内の圧縮空気または燃焼生成物により、連帯して強制的に駆動されるように公知の様式で配置される。打ち込みブレード３０の遠心端３６は、穴部２４を通して固定具および該固定具に結合されたスリーブ４２を強制的に打ち込むために、固定具４０の頭部３８に突き当たるように構成配置される。好適な実施例においては、固定具４０は、所定位置で壁張り用材のトラッキングを保持するためにコンクリート内へ打ち込まれるようにデザインされたピンであるが、固定具打ち込み工具の使用に適する従来の任意の形式の順に揃えられた固定具が本マガジンに使用可能である。
【００１９】
好ましくは鋼鋳物から機械加工された案内装置１６は、装置１６から斜めに突出する少なくとも一つのスチールピン４４を好ましくは有し、鼻部材１２のそれぞれのソケット４６と交配的に係合する。好適な実施例においては、一対のピン４４および一対のそれぞれのソケット４６が提供されるが、ピンおよびソケットの数量や配置は適用に応じて変えられてもよい。この交配的な係合は、案内装置１が操作位置で鼻部材１２に接することを許可し、操作位置では、案内装置は公知の他の構造（図示されていない）により鼻部材に固定される。案内装置１６の特徴は全体的に半円形状の溝４８であり、該半円形状の溝は、上述された鼻部材により固定具通路を完全に形成するために鼻部材１２の溝２８と適合する。
【００２０】
案内装置１６のもう一つの特徴は開口部５０であり、該開口部は溝４８内で開口し、任意の一つの固定具４０および該固定具に結合されているスリーブ４２が開口部を通して溝内へ通過することを許可または適応するように形成されている。さらに、案内装置１６は全体的に平行な一対のリブ５２を有し、これらの平行な一対のリブは開口部５０の両側で比較的に硬質なスチールインサートにより提供される。固定具４０およびスリーブ４２の構成および配置は、米国特許第５，０６９，３４０号で詳細に記述されており、本マガジンの動作を説明するための必要により下記に記述される。
【００２１】
図１および図２を参照すると、案内装置１６は、スリーブ４２に近接して好ましくは一体型成形された脆いブリッジ５６により互いに固定される順に揃えられた固定具４０のキャリヤーまたはストリップ５４を受け入れるように形成される。公知であるように、溝２８および溝４８内の打ち込みブレード３０の下側方向への動作は、単一の固定具４０に衝接し、ブリッジ５６を破壊することによりストリップ５４から固定具および該固定具に結合されているスリーブ４２を切断する。ストリップ５４は、全体的に６０で指し示されたマガジンにより案内装置１６に配送され、公知のように、該マガジンはストリップ５４を案内装置１６へ長手方向に送給する。
【００２２】
上述のように、本発明の重要な目的は、効果的で且つ障害のない方法で固定具４０のストリップ５４を開口部５０へ送給することにおいて、従来技術のマガジンにおいて遭遇した問題を解決するマガジン６０を提供することである。さらに、下記に記述されるように、本マガジン６０は、固定具４０のストリップ５４を開口部５０へ向けて案内する２つの案内システムを備えることにより目的を実現する。
【００２３】
図２から図５を参照すると、マガジン６０はハウジング６２を含み、該ハウジングは、固定具４０のストリップ５４が挿入されるスロットのような開口部（図示されていない）を形成する送給終端部６４と、固定具４０およびスリーブ４２の連続的で自由な通過を許可するように開口部５０と整列または合わされる出口開口部６８（図５に最もよく示されている）を形成する打ち込み終端部６６とを形成する。送給終端部６４と打ち込み終端部６６との間において、これらの二つの終端部は案内部分７０に接触する。案内部分７０の重要な特徴は、少なくとも二つの案内構造が備えられていることであり、第一の案内構造７２は、ストリップ上の第一の位置で固定具ストリップ５４を係合するように形成され、第二の案内構造７４は、第二の位置で固定具ストリップを係合するように形成される。
【００２４】
本マガジン６０が固定具ストリップ５４の動作特性に取り組むことを主としてデザインされていることに注目することは重要であり、この動作特性は、同一譲受人の米国特許第５，０６９，３４０号に詳細に記述されている。ストリップ５４は、型成形されたスリーブ４２の直線状の整列を含み、各スリーブは固定具４０の一つを収容するための垂直な穴部７８を形成する。各スリーブ４２は、少なくとも一つ、好ましくは対向する二つの放射状に突出する部分８４，８６により形成される下側端部８０および窓チャネル８２を有する。環状の上側部分８４は下側部分８６に一体的に結合され、窓チャネル８２は好ましくは凹み部分８８により一部が形成される（図３に最もよく示されている）。窓チャネル８２は、該窓チャネルがスリーブ４２の垂直な穴部７８と連通するような凹み部分８８の形状に由来し名付けられる。
【００２５】
米国特許第５，０６９，３４０号に詳細に説明されているように、環状の上側部分８４は、固定具４０の打ち込みの間において、破壊またはつぶされる。また、好適な実施例においては、上側部分８４は下側部分８６より小さな直径である。しかし、スリーブ４２は、適用により、凹み部分８８と同様に窓チャネル８２、上側部分８４および下側部分８６の形状を変化してよい。少なくとも、固定具開口部５０との適当な整列のために固定具ストリップの垂直な動作が制限され且つ維持されるように、チャネル８２は、下記に記載するような細長いリブにより滑動可能に係合されるのに十分な構造を有するべきである。
【００２６】
近接するスリーブ４２は、好ましくは一体型成形された脆いブリッジ５６により互いに連結され、該脆いブリッジは、ストリップ５４の一番先頭の固定具４０が溝部２８および溝部４８に係合し、打ち込みブレード３０により衝接されるとき、容易に破壊されるように形成される。ブリッジ５６の脆さを引き起こすために適する公知である多様な機構形態は存在し、これらの機構形態にはスリット、溝（ｇｒｏｏｖｅｓ）、穿孔（ｐｅｒｆｏｒａｔｉｏｎ）、軽量材、カットアウト（ｃｕｔｏｕｔｓ）などが含まれがこれに限定されることはない。
【００２７】
本マガジン６０の重要な特徴は、ストリップがマガジンに引っ掛かからなくするように送給終端部６４でのストリップ５４の容易な積み込みを可能にすることであり、また、鼻部材１２の固定具開口部５０にストリップを適当に案内することでもある。そのために、マガジン６０は送給終端部６４から打ち込み終端部６６へのマガジンの全長に延在する固定具通路９０を形成する。第一案内領域または部分９２は第一案内構造７２を取り込み、この第一案内構造は送給終端部６４で始まり、下側スリーブ端部８０でストリップ５４を係合するように形成されている。
【００２８】
別の構成でも良いが、第一案内構造７２は、固定具のためのトラックを提供するように、固定具通路９０内で横方向に突出する少なくとも一つ、好ましくは一対の対向するレール９４から形成される。下側スリーブ端部８０はトラック上に滑動可能に乗り、固定具４０の下側部分９６は、レール９４の間を垂直方向に突出する。好適な実施例においては、ストリップの整列はレール９４の隙間により維持され、この隙間は固定具および対応するストリップ５４の横方向動作の制限を可能とする。固定具４０の上側終端部または頭部３８で、横方向の調整不良または傾きはマガジンの上側部分１００により妨げられる。反転された”Ｌ”形状のチャネル構造は、長い側壁１０２、上部壁１０４および短い側壁１０６により形成される（図３に最もよく示されている）。側壁１０２および側壁１０６の対向し好ましくは平行な部分は、固定具頭部３８に対する横方向の整列または”傾き防止”（ａｎｔｉ−ｔｉｐｐｉｎｇ）を提供する。固定具通路９０は、上側マガジン終端部１００および下側マガジン終端部１１２の対向する終端面１０８および終端面１１０により一部分が形成される。
【００２９】
本発明の重要な特徴は、固定具４０に提供された任意の案内部に対向するようなストリップ５４に提供された案内部である。送給終端部６４で、案内部は下側スリーブ端部８０とレール９４の上側終端面１１０とに滑動可能に係合する。この係合は、積み込みを促進し、ストリップが通路９０に引っ掛かることを妨害するように、ストリップ５４の十分な滑動性を提供することが判明している。しかし、工具１０の効果的な操作を促進するために打ち込み終端部６６でのさらなる案内整列が有益であることも判明している。
【００３０】
従い、本マガジン６０のもう一つの特徴は、マガジンの第二案内領域または部分１１４で第二案内構造７４を備えることであり、該第二案内構造７４は、第一案内構造７２と比較して、ストリップ上の別の位置でストリップ５４を係合する。好適な実施例（図５に最もよく示されている）においては、第二案内構造７４は窓チャネル８２を係合し、第二案内部分１１４は、マガジン６０の打ち込み終端部６６の近傍位置から送給終端部６４へ向けて延在するように形成され、ただし送り込み終端部までは到達しないように形成されている。
【００３１】
案内構造７２および案内構造７４の両形式の利点を実現するために、第二案内部分１１４はマガジン６０の長さの約１/３のみに延在するか、または、標準の１０個の固定具を有するストリップ５４の約５/４（１．２５）を収容するのに十分な長さに延在する。この長さは複数および一部分のストリップ５４の隣接する係合のために適した移行を提供する。逆に言えば、第一案内部分９２は、好ましくは、マガジン６０の長さの約２/３に延在する。
【００３２】
第二案内構造７４は、好ましくは、横方向に突出し窓チャネルに係合するレール１１６という形をとる。構造７４の重要な設計基準は、レール１１６が固定具通路９０内にペンチのような形状で突出することである。短い側壁１０６は長い側壁１１８に置き換えられ、側壁１０２および側壁１１８はほど同一の高さになる。好ましくは、窓チャネルに係合するレール１１６は互いに離間して配置され、通路９０の長さ方向に沿ってストリップ５４の自由な滑動を許可し、ストリップのわずかな両側面の動きだけを許可する。窓チャネル８２を係合することにより、ストリップ５４は、鼻部材１２の固定具開口部５０との係合のための十分な整列が維持される。従い、第一案内構造７２が打ち込み終端部６６へ延在する必要性はない。
【００３３】
このように、本発明の特徴は、固定具ストリップ５４の各スリーブ４２がマガジンの第一案内部分９２では第一案内構造７２のみにより支持され、マガジン６０の第二部分１１４では第二案内構造７４のみにより支持されることである。図２および図４に示されるように、二つの部分９２および１１４は重なりまたは移行領域１２０を形成し、構造７２および構造７４の両方ともストリップ５４としっかりと係合する。換言すると、第二案内構造が単一のスリーブ案内機構としての第一構造と置き換えられるとき、単一のスリーブ４２は構成７２および構成７４の両方により同時に係合されうる。
【００３４】
第二部分１１４により提供されたサポートおよび案内部の利点は、ストリップ５４が固定具開口部５０に係合するように適当に整列されることである。この整列は、ストリップ５４が通路９０内でずれることを引き起こす反転位置において工具１０が使用されるときにおいても維持される。
【００３５】
選択的に、マガジン６０には、案内領域９２および案内領域１１４とこれらに対応する構造７２および構造７４の可視的な表示部が備えられても良い。図２に示されているように、第一領域９２では、移行領域１２０まで長い上側側壁１１８が欠けている。丸みが与えられた端部１２２は側壁１１８の開始を示し、この端部の終端部は移行領域１２０を示す。同様に、第一案内部分９２を形成する外側側壁１２４は、移行領域１２０で終わる丸みが与えられた端部１２６で終結する。二つの丸みが与えられた端部１２２および１２６の交差領域は移行領域１２０を示し、移行領域の位置の可視的な表示を提供する側面から見たときに”Ｓ”形状のカーブを形成する。
【００３６】
本発明の固定具打ち込み工具のためのマガジンレールシステムの特定な実施例が示され記述されてきたが、より広い態様および特許請求の範囲における発明から逸脱しない変形および変更が可能であることは、当業者より理解される。
【図面の簡単な説明】
【図１】本マガジンの使用に適した固定具打ち込み工具の構成品の部分分解斜視図である。
【図２】本マガジンの側面図である。
【図３】図２の線３−３に沿って全体的に指し示された方向に取られた垂直断面図である。
【図４】図２の線４−４に沿って全体的に指し示された方向に取られた垂直断面図である。
【図５】図２の線５−５に沿って全体的に指し示された方向に取られた垂直断面図である。
【符号の説明】
３０…打ち込みブレード
５４…ストリップ
６０…マガジン
６４…送給終端部
６６…打ち込み終端部
７２…第一案内構造
７４…第二案内構造
９２…第一案内領域（部分）
１１４…第二案内領域（部分）
【図１】
0004243503.tif 000002
【図２】
0004243503.tif 000003
【図３】
0004243503.tif 000004
【図４】
0004243503.tif 000005
【図５】
0004243503.tif 000006